(57)【要約】      （修正有）【課題】消費電力の大きい、短時間の稼働を予定する機器に、動作を保証することを前提に、搭載する二次電池のセル数を低減する。【解決手段】放電制御を開始する前に、負荷１４の最大消費電力、例えば設計時等に設定される放電終止電圧から二次電池のセル数を算出し、機器の動作が保証されることを前提に、その算出したセル数よりも少ないセル数の二次電池を蓄電池制御装置１０に搭載する。電圧測定部１２により測定される各セルの電圧が、その設定した第２の放電終止電圧以上であると判定すると、放電制御部１３は放電を許可し、第２の放電終止電圧未満であると判定すると放電を停止するように制御する。【選択図】図５
2016092996.tif 000002
【特許請求の範囲】
【請求項１】
単数又は複数のセルで構成される二次電池と、前記二次電池の端子電圧を測定する電圧測定手段を有する二次電池の放電を制御する蓄電池制御装置であって、
前記二次電池に予め設定される第１の放電終止電圧よりも高い放電終止電圧を記憶する記憶手段と、
前記電圧測定手段により測定された前記二次電池の端子電圧が、前記記憶手段に記憶された前記第１の放電終止電圧よりも高い放電終止電圧以上である場合に、前記二次電池からの放電を許可するように制御する放電制御手段と、
を有する蓄電池制御装置。
【請求項２】
請求項１に記載された蓄電池制御装置において、
前記第１の放電終止電圧よりも高い放電終止電圧が、前記第１の放電終止電圧及び稼働対象とする機器の最大消費電力から算出される前記二次電池のセル数よりも少なく設定したセル数に基づき算出される、第２の放電終止電圧である蓄電池制御装置。
【請求項３】
請求項２に記載された蓄電池制御装置において、
前記第２の放電終止電圧を算出する第２の放電終止電圧算出手段を有し、
前記記憶手段が、前記第２の放電終止電圧算出手段により算出された前記第２の放電終止電圧を記憶する蓄電池制御装置。
【請求項４】
請求項３に記載された蓄電池制御装置において、
前記二次電池のセル数はセル数計測手段で計測されたセル数である蓄電池制御装置。
【請求項５】
請求項１に記載された蓄電池制御装置において、
前記第１の放電終止電圧及び稼働対象とする機器の最大消費電力から算出されるセル数よりも少なく設定したセル数の二次電池を直列又は直並列で構成する場合に、前記第１の放電終止電圧よりも高い放電終止電圧が、前記二次電池の直列接続単位の数に基づき算出される第３の放電終止電圧である蓄電池制御装置。
【請求項６】
請求項５に記載された蓄電池制御装置において、
前記第３の放電終止電圧を算出する第３の放電終止電圧算出手段を有し、
前記記憶手段が、前記第３の放電終止電圧算出手段により算出された前記第３の放電終止電圧を記憶する蓄電池制御装置。
【請求項７】
請求項６に記載された蓄電池制御装置において、
前記直列接続単位の数はセル数計測手段で計測された直列接続単位の数である蓄電池制御装置。
【請求項８】
単数又は複数のセルで構成される二次電池の放電を制御する蓄電池制御装置における蓄電池制御方法であって、
記憶手段に、前記二次電池に予め設定される第１の放電終止電圧よりも高い放電終止電圧を記憶する、放電終止電圧記憶工程と、
電圧測定手段による、前記二次電池の端子電圧を測定する電圧測定工程と、
放電制御手段による、前記電圧測定工程において測定された前記二次電池の端子電圧が、前記放電終止電圧記憶工程において記憶された前記第１の放電終止電圧よりも高い放電終止電圧以上である場合に、前記二次電池からの放電を許可するように制御する放電制御工程と、
を有する蓄電池制御装置における蓄電池制御方法。
【発明の詳細な説明】
【技術分野】
【０００１】
本発明は、蓄電池制御装置及び蓄電池制御方法に関する。
【背景技術】
【０００２】
二次電池が劣化する原因の一つに、過放電による正極又は負極の劣化がある。
この劣化を防止するために、二次電池では放電終止電圧を設定しており、二次電池の電圧が放電終止電圧未満になると、放電を停止するように制御する蓄電池制御装置が知られている。
【０００３】
このような蓄電池制御装置の一例として、過放電による劣化が生じる電圧（即ち、放電終止電圧）が環境温度に影響されることを考慮し、放電終止電圧を調整する蓄電池制御装置がある（特許文献１）。
この蓄電池制御装置は、放電終止電圧を調整することでエネルギーの利用効率を向上させることを目的とし、高容量で、稼働時間の長い高負荷機器に実装することを予定したものである。
【０００４】
但し、この蓄電池制御装置では、二次電池を搭載する上で、二次電池のセル数を低減（調整）することに関しては考慮されていない。そのため、最大消費電力が大きいが、短時間稼働すれば済む機器に二次電池を搭載する場合、その機器の最大消費電力に対応させるため、最大消費電力と二次電池の最大放電電力から算出されるセル数の二次電池を搭載する必要がある。
この場合、機器の動作を保証することはできるものの、蓄電容量を必要以上に搭載することとなり、二次電池のセル数が過剰になる（即ち、二次電池のコスト、サイズ、重量等が大きくなる）という問題がある。
【発明の概要】
【発明が解決しようとする課題】
【０００５】
本発明は、前記従来の問題に鑑みてなされたものであって、その目的は、蓄電池制御装置において、消費電力が大きく、短時間の稼働を予定する機器において、その動作を保証しつつ、搭載する二次電池のセル数を低減することである。
【課題を解決するための手段】
【０００６】
本発明は、単数又は複数のセルで構成される二次電池と、前記二次電池の端子電圧を測定する電圧測定手段を有する二次電池の放電を制御する蓄電池制御装置であって、前記二次電池に予め設定される第１の放電終止電圧よりも高い放電終止電圧を記憶する記憶手段と、前記電圧測定手段により測定された前記二次電池の端子電圧が、前記記憶手段に記憶された前記第１の放電終止電圧よりも高い放電終止電圧以上である場合に、前記二次電池からの放電を許可するように制御する放電制御手段と、を有する蓄電池制御装置に関する。
【発明の効果】
【０００７】
本発明によれば、蓄電池制御装置において、消費電力が大きく、短時間の稼働を予定する機器において、その動作を保証しつつ、搭載する二次電池のセル数を低減することができる。
【図面の簡単な説明】
【０００８】
【図１】二次電池の放電特性を示す図である。
【図２】機器における二次電池の搭載セル数を示す図である。
【図３】放電終止電圧と単位セルの蓄電容量、出力電力について説明する図である。
【図４】放電終止電圧と出力電力、搭載セル数、蓄電容量について説明する図である。
【図５】本発明の実施形態に係る蓄電池制御装置の機能ブロック図である。
【図６】本発明の実施形態に係る蓄電池制御装置の放電制御の処理手順を示すフロー図である。
【図７】本発明の実施形態２に係る蓄電池制御装置の機能ブロック図である。
【図８】本発明の実施形態２に係る蓄電池制御装置の放電制御の処理手順を示すフロー図である。
【発明を実施するための形態】
【０００９】
以下、本発明の実施形態について図面を参照して説明するが、それに先立って、本発明の基本原理、つまり、二次電池を搭載する機器の最大消費電力に応じて放電終止電圧を調整（変更）することで、二次電池の必要なセル数を減らすことができることを、図１から図４を用いて説明する。
なお、放電終止電圧とは、二次電池を劣化させることなく、蓄電エネルギーを放電するために設定される閾値電圧のことであり、例えば、二次電池の製造メーカ等により二次電池の設計時等に設定される。また、セル数とは、二次電池の数のことである。
【００１０】
図１は、二次電池の放電特性を示す図である。
図１において、横軸は放電容量（Ａｈ；アンペアアワー）、縦軸は電圧（Ｖ；ボルト）を示している。
なお、図１は、リチウムイオン二次電池の単位セルの放電特性を、その一例として示している。また、図１のリチウムイオン二次電池では、放電終止電圧を２．５Ｖに設定している。
【００１１】
リチウムイオン二次電池の単位セルあたりの蓄電容量は、満充電から放電終止電圧まで放電できる電力量であり、図１において放電特性の積分値で示される。
理論的には、次式で示すことができる。
∫ＶｄＡｈ＝Ｗｈ・・・（式１）
しかし、放電特性を表す関数は特定できないため、蓄電容量の正確な値を求めることはできない。そこで、実際には、放電特性を複数の小区間で区切り、各々を近似して、その小区間における放電容量（Ａｈ）と電圧（Ｖ）の積を求め、それらを加算して、その近似値を求める。ここでは、近似値の算出を便宜上（式１）の計算という。
【００１２】
図１に示す放電特性に関して、（式１）を計算すると、蓄電容量は約９Ｗｈとなる。
また、二次電池には最大放電電流が規定されており、単位セルの最大放電電流を５Ａとすると、放電終止電圧２．５Ｖでの出力電力は１２．５（＝２．５×５）Ｗとなる。
以下、図２から図４に関する説明では、図１の放電特性を有する二次電池（即ち、単位セルあたりの蓄電容量９Ｗｈ、出力電力１２．５Ｗの二次電池）を搭載することを前提に説明する。
【００１３】
図２は、機器における二次電池の搭載セル数を示す図である。
図２では、機器としてノートパソコン（Laptop Computer）と電子写真画像形成装置における、その最大消費電力、平均消費電力、稼働時間、二次電池の搭載セル数を示している。
なお、図２に示す例では、ノートパソコン、電子写真画像形成装置のいずれに関しても、停電時等、商用電源を供給することができない場合を想定している。
【００１４】
一般に、機器に搭載する二次電池のセル数は、機器の平均消費電力（機器の稼働時に消費される電力の時間当たりの平均値）と稼働時間から決定される。
即ち、機器に搭載する二次電池のセル数は、機器の平均消費電力、稼働時間、また蓄電容量を用いて、以下のように示すことができる。
二次電池のセル数 ≧ （平均消費電力×稼働時間）／単位セルの蓄電容量・・・（式２）
【００１５】
図２において、ノートパソコンは消費電力が小さく稼働時間の長い機器の一例として示すものである。ノートパソコンの場合、平均消費電力が１０Ｗ、稼働時間が７時間であり、また蓄電容量を前述のように９Ｗｈとすると、二次電池の搭載セル数として８個の二次電池が必要となる。
【００１６】
一方、図２に示す電子写真画像形成装置は、消費電力が大きく稼働時間の短い機器の一例である。
電子写真画像形成装置の稼働時間は、導入先の利用状況により異なるが、例えば必要なプリント数が５００枚であって、電子写真画像形成装置が１分間に５０枚の印刷が可能であるとすると、１０分となる。
この場合、電子写真画像形成装置に搭載すべき、二次電池のセル数は、（式２）より１４個となる。
【００１７】
しかし、電子写真画像形成装置の最大消費電力は、ノートパソコンの最大消費電力の８０Ｗに比べて、１５００Ｗと大きく、その最大消費電力に対応させる必要がある。即ち、電子写真画像形成装置を正常に稼働させるためには、二次電池のセルの数を、以下のように設定する必要がある。
二次電池のセル数 ≧ 最大消費電力 ／ （最大出力電流×放電終止電圧）・・・（式３）
なお、ここで、放電終止電圧とは前述のように例えば、二次電池の設計時等に設定されるものであり、また、最大出力電流と放電終止電圧の積は単位セルの出力電力となる。
【００１８】
電子写真画像形成装置の動作を保証するために必要とされる二次電池のセルの数は、（式３）より、１２０（＝１５００（Ｗ）÷１２．５（Ｗ））個となる。
このように、機器によっては、搭載セル数を決定する上で、平均消費電力、稼働時間以外に、最大消費電力を考慮しなければならない場合がある。
【００１９】
但し、この場合、図２の電子写真画像形成装置には、最大消費電力に対応させるために１２０個の二次電池を搭載することから、電子写真画像形成装置の動作は保証されるものの、蓄電容量が過剰となる。
即ち、図２の電子写真画像形成装置においては、約１３４Ｗｈ（＝８００Ｗ（平均消費電力）×１／６ｈ（稼働時間））の蓄電容量があれば蓄電容量としては充足するが、１２０個の二次電池を搭載した場合、蓄電容量は合計で１２００Ｗｈ（＝１０Ｗｈ×１２０）となり、蓄電容量としては過剰となる。
【００２０】
図３は、放電終止電圧と単位セルの蓄電容量、出力電力について説明する図である。
図３の上段は、放電終止電圧を２．５Ｖとして２．５Ｖまで放電する場合を示しており、その場合、単位セルの蓄電容量は、図１の二次電池の放電特性より、前述のように（式１）を用いて約９Ｗｈと算出することができる。
また、出力電力についても、図１において説明したように、単位セルの最大放電電流を５Ａとして、１２．５（＝２．５（Ｖ）×５（Ａ））Ｗと算出することができる。
【００２１】
図３の下段は、放電終止電圧を３．０Ｖとして３．０Ｖまで放電する場合を示しており、その場合、単位セルの蓄電容量は、図１の二次電池の放電特性より、（式１）を用いて約７．５Ｗｈと算出することができる。また、この場合、単位セルの最大放電電流を５Ａとすると、出力電力は１５（＝３（Ｖ）×５（Ａ））Ｗとなる。
このように、放電終止電圧を変更することで、単位セルにおける出力電力を調整することができる。
【００２２】
図４は、放電終止電圧と出力電力、搭載セル数、蓄電容量について説明する図である。
なお、図４では、搭載セル数、蓄電容量を、最大消費電力である１５００Ｗに対応させて示している（即ち、出力電力を１５００Ｗとした場合の、搭載セル数、蓄電容量を示している）。また、蓄電容量は、セル全体の蓄電容量（即ち、単位セルの蓄電容量×セル数）を示している。
【００２３】
図４の上段は、放電終止電圧を２．５Ｖに設定していることから、単位セルの最大放電電流を５Ａとすると、搭載セル数は１２０（＝１５００÷（２．５×５））個となり、また蓄電容量は、単位セルの蓄電容量が９Ｗｈであることから（図３）、１０８０（＝１２０×９）Ｗｈとなる。
図４の下段は、放電終止電圧を３．０Ｖに設定していることから、単位セルの最大放電電流を５Ａとすると、搭載セル数は１００（＝１５００÷（３×５））個となり、また蓄電容量は、単位セルの蓄電容量が７．５Ｗｈであることから（図３）、７５０（＝１００×７．５）Ｗｈとなる。
【００２４】
以上、図１から図４において示したように、最大消費電力に対応させることを前提に、放電終止電圧を高く設定することで、二次電池に搭載するセルの数を少なくすることができる。
また、逆に、搭載するセルの数と動作保証に必要な出力電力から、放電終止電圧を選択することもできる（即ち、機器に必要な電力を出力することもできる）。
【００２５】
以上で、本発明の基本原理を説明したので、次に、この基本原理に基づく本発明の実施形態について説明する。
図５は、本発明の実施形態に係る蓄電池制御装置の機能ブロック図である。
蓄電池制御装置１０は、電池部１１、電圧測定部１２、放電制御部１３、負荷１４、メモリ１５より構成される。
【００２６】
電池部１１は、複数の単位セル（即ち、二次電池）１１ａを直並列に接続して構成される。この場合、複数の単位セル１１ａを直列接続のみ、また並列接続のみで構成させてもよい。
電池部１１の出力は、負荷１４に供給される。
なお、電池部１１を構成する単位セル（即ち、二次電池）１１ａには、前述の図１の２．５Ｖに相当する放電終止電圧が例えば、設計時等において設定されており、ここでは、その放電終止電圧を第１の放電終止電圧という。
【００２７】
電圧測定部１２は、電池部１１を構成する各単位セル１１ａの端子電圧（即ち、二次電池の一方の端部から他方の端部までの電位差）を測定し、測定した電圧を放電制御部１３に送信する。
電圧測定部１２における電圧の測定は、電圧測定部１２内部に実装されるＡＤコンバータ（ＡＤＣ；Analog to Digital Converter）により実行される。
【００２８】
放電制御部１３は、搭載する二次電池のセル数と負荷１４の最大消費電力から算出される放電終止電圧（ここでは、第２の放電終止電圧という）を記憶するメモリ１５を有する。
放電制御部１３は、各単位セル１１ａの電圧が、第２の放電終止電圧以上にある場合に放電を許可し、第２の放電終止電圧未満にある場合に放電を停止するように制御する。
【００２９】
ここで、第２の放電終止電圧は、負荷１４の最大消費電力、単位セル１１ａの最大出力電流、蓄電池制御装置１０に搭載する二次電池のセル数を（式３）に代入し、さらに数式を変更することで、以下のように示すことができる。
第２の放電終止電圧 ＝ 最大消費電力／（最大出力電流×二次電池のセル数）・・・（式４）
【００３０】
なお、本発明では、蓄電池制御装置１０に搭載する二次電池のセル数を低減することを目的としており、蓄電池制御装置１０に搭載する二次電池のセル数を少なく設定すると、第２の放電終止電圧は高くなる。
但し、第２の放電終止電圧は、
「 単位セルの最大電圧 ＞ 第２の放電終止電圧 ≧ 第１の放電終止電圧 」
を充足するように設定する必要がある。また、この場合、機器の動作が保障される蓄電容量を確保する必要もある。
【００３１】
放電制御部１３における放電の許可又は停止は、放電制御部１３に放電経路を開閉するスィッチ（例えば、トランジスタやリレー）を実装することにより制御することができる。
また、放電制御部１３は、負荷１４の動作を停止する信号を備え、負荷１４の動作を停止することで放電を停止することもできる。
【００３２】
負荷１４は、図２で例示した電子写真画像形成装置等の、消費電力が大きく、短時間の稼働を予定する機器（即ち、稼働対象とする機器）である。
メモリ１５は、不揮発性のメモリである。
蓄電池制御装置１０の設計者は、（式３）を用いて、負荷１４の最大消費電力、最大出力電流及び第１の放電終止電圧から二次電池のセル数を算出し、算出した二次電池のセル数よりも少ないセル数を設定する。さらに、蓄電池制御装置１０の設計者は、（式４）を用いてその設定したセル数から算出される第２の放電終止電圧を、メモリ１５に記憶する。
【００３３】
以上のように、第２の放電終止電圧を、前記条件（単位セルの最大電圧 ＞ 第２の放電終止電圧 ≧ 第１の放電終止電圧）を充足するように選定することで、機器に搭載する二次電池のセル数を、例えば設計時等に設定される放電終止電圧（即ち、第１の放電終止電圧）及び負荷１４の最大消費電力から算出されるセル数（式３）よりも少ないセル数に設定して、その機器を動作させることができる。
【００３４】
なお、電池部１１において構成される複数の単位セル（即ち、二次電池）１１ａを直列、又は直並列（この場合、所定数の二次電池１１ａを直列に接続し、さらに、それらを並列に接続したものを云う）で構成する場合、電圧測定部１２は、直列接続単位の電圧（即ち、所定数の二次電池１１ａを直列に接続した場合における、直列接続の一方の端部から他方の端部までの電位差）、及び各単位セル１１ａの電圧を測定し、測定した各々の電圧を放電制御部１３に送信することもできる。
【００３５】
この場合、放電制御部１３は、以下の数式（式５）から算出される第３の放電終止電圧を設定し、電圧測定部１２により測定される直列接続単位の電圧が第３の放電終止電圧以上にある場合に放電を許可し、第３の放電終止電圧未満にある場合に放電を停止するように制御することもできる。
第３の放電終止電圧＝ 最大消費電力／（最大出力電流×直列接続単位の数）・・・（式５）
なお、（式５）は（式３）を変形することで示される数式である。
【００３６】
この第３の放電終止電圧は、二次電池の製造上、又は劣化上のばらつきを考慮したものであり、電池部１１を構成する単位セル（即ち、二次電池）１１ａのうち、最も電圧の低い単位セル１１ａが（式４）を用いて算出される第２の放電終止電圧未満となった場合であっても、その単位セル１１ａを構成の一つとする直列接続単位の電圧が第３の放電終止電圧以上の場合は、放電を停止しないように制御するために設定されるものである。
このため、第１の放電終止電圧に基づき設定される二次電池のセル数よりセル数を低減した上で、各単位セル１１ａの蓄電容量を有効に活用することができる。
【００３７】
実際、放電時のセル電圧のばらつきを補正し、蓄電容量を有効に利用する技術として、電圧の高いセルから電圧の低いセルに充電するアクティブバランス技術が知られているが、第３の放電終止電圧を設定し、放電を制御することで、アクティブバランスの複雑な回路構成を設けなくても、蓄電容量を有効に利用することができる。
【００３８】
なお、放電制御部１３は、直列接続単位の電圧が第３の放電終止電圧以上にある場合であっても、各単位セル１１ａのうち、いずれか１つの単位セル１１ａの電圧が第１の放電終止電圧未満になると、二次電池の劣化を防止するために、放電を停止するように制御する。
【００３９】
図６は、本発明の実施形態に係る蓄電池制御装置１０の放電制御の処理手順を示すフロー図である。
放電制御を開始する前に、蓄電池制御装置１０の設計者は、負荷１４の最大消費電力、最大出力電流及び第１の放電終止電圧から二次電池のセル数を算出し、機器の動作が保証されることを前提に、その算出したセル数よりも少ないセル数を設定する。
そして、その設定したセル数の二次電池を蓄電池制御装置１０に搭載し、また、その設定したセル数から、前述の（式４）を用いて算出した第２の放電終止電圧を、蓄電池制御装置１０のメモリ１５に記憶する（Ｓ１０１）。
なお、このステップＳ１０１における処理は、設計工程（製造工程）において実行される処理である。
【００４０】
放電制御部１３は、放電制御の開始命令を受けると、放電制御を開始する（Ｓ１０２）。
なお、この時点で、機器（即ち、負荷１４）に電力が放電（供給）されることから、機器が動作状態となる。
【００４１】
電圧測定部１２は、放電制御が開始されると（Ｓ１０２）、各セルの電圧を測定する（Ｓ１０３）。
なお、電圧測定部１２により測定された各セルの電圧は、放電制御部１３に送信される。
【００４２】
放電制御部１３は、電圧測定部１２より送信された各セルの電圧が、ステップＳ１０１においてメモリ１５に記憶した第２の放電終止電圧以上であるか否かを判定する（Ｓ１０４）。
そして、各セルの電圧が第２の放電終止電圧以上であると判定した場合（Ｓ１０４ Ｙｅｓ）、放電制御部１３は、放電を継続（即ち、許可）するように制御する（Ｓ１０５）。
なお、放電制御部１３により放電が継続されると（Ｓ１０５）、蓄電池制御装置１０は、再度、ステップＳ１０３の処理から、放電制御に関する処理を実行する。
【００４３】
また、放電制御部１３は、電池部１１を構成するセル（即ち、二次電池）のうち、１つのセルでも、第２の放電終止電圧未満であると判定すると（Ｓ１０４ Ｎｏ）、放電を停止するように制御する（Ｓ１０６）。
この場合、蓄電池制御装置１０は放電制御を終了する。
【００４４】
図７は、本発明の実施形態２に係る蓄電池制御装置２０の機能ブロック図である。
蓄電池制御装置２０は、電池部２１、セル制御部２２、放電制御部２３、負荷２４、メモリ２５、操作部２６より構成される。
実施形態２では、実施形態１と異なり、電池部２１を構成する二次電池のセル数を変更（調整）することができる。
【００４５】
電池部２１は、実施形態１と同様に、複数の単位セル（即ち、二次電池）２１ａを直並列に接続して構成される。この場合、複数の単位セルを直列接続のみ、また並列接続のみで構成させてもよい。
電池部２１の出力は、負荷２４に供給される。
【００４６】
セル制御部２２は、電池部２１を構成する各単位セル２１ａの電圧を測定し、測定した電圧を放電制御部２３に送信する以外に、電池部２１を構成するセルの数も放電制御部２３に送信する。
即ち、セル制御部２２は、各単位セル２１ａの電圧を測定する電圧測定手段、電池部２１を構成するセルの数を計測するセル数計測手段として機能する。
なお、電池部２１を構成するセルの数は、例えば、蓄電池制御装置２０の設計者又はメンテナンス担当者等が操作部２６より放電制御部２６に対して、直接入力することもできる。
【００４７】
放電制御部２３は、セル制御部２２から送信される、電池部２１を構成するセルの数、及び負荷２４の最大消費電力に基づき、前述の（式４）より第２の放電終止電圧を算出する。
放電制御部２３は、算出した第２の放電終止電圧を、メモリ２５に記憶する。
なお、放電制御部２３は、電池部２１を構成するセルの数が縮小又は拡張されると（即ち、セル制御部２２より送信されるセル数に変化があると）、第２の放電終止電圧を算出し、算出した第２の放電終止電圧をメモリ２５に記憶する。
【００４８】
放電制御部２３は、各単位セル２１ａの電圧が、第２の放電終止電圧以上にある場合に放電を許可し、第２の放電終止電圧未満にある場合に放電を停止するように制御する。
放電制御部２３に関する放電の許可又は停止は、実施形態１と同様に、放電制御部２３に放電経路を開閉するスィッチを実装することにより制御することができる。
【００４９】
また、負荷２４は、実施形態１と同様である。
メモリ２５は、放電制御部２３により算出される第２の放電終止電圧を記憶する。
操作部２６は、前述のように、蓄電池制御装置２０に対して直接、操作するためのインタフェースである。
【００５０】
実施形態２では、以上のように、蓄電池制御装置２０に搭載する二次電池のセル数を変更（調整）することができる。
このことを、前述の図４の数値を用いて、簡単に例示する。
蓄電池制御装置２０の設計者又はメンテナンス担当者が蓄電池制御装置２０に搭載するセルの数を１２０個から１００個に低減すると、放電制御部２３は、第２の放電終止電圧を（式４）より再度、算出し、算出した第２の放電終止電圧３．０Ｖをメモリ２５に記憶する。
【００５１】
そして、放電制御部２３は、各単位セルの電圧が、３．０Ｖ以上にある場合に放電を許可し、３．０Ｖ未満にある場合に放電を停止するように制御する。
これにより、蓄電容量が１０８０Ｗｈから７５０Ｗｈに減少するものの、機器の稼働に使用するセルの数を、１２０個から１００個に低減することができる。
なお、この場合、機器の稼働に必要な蓄電容量は、前述のように約１３４Ｗｈであることから、機器を正常に動作させることができる。
【００５２】
また、逆に、蓄電池制御装置２０に搭載した二次電池のセル数に関して、蓄電池制御装置２０の設計者又はメンテナンス担当者が拡張する必要があると判断すると、電池部２１を構成する二次電池の数を増設することができる。
この場合、前述の図４の数値を用いて、セル数を１００個から１２０個に拡張すると、蓄電容量を７５０Ｗｈから１０８０Ｗｈに増加させることができる。即ち、セル数を２０％増加することで蓄電容量を４４％増加させることができ、セルの数の増加率以上に蓄電容量を増加させることができる。
このように、容量の増加を低コストで実現することができる。
【００５３】
なお、実施形態１と同様に、電池部２１において構成される複数の単位セル２１ａを直列、又は直並列で接続する場合、放電制御部２３は、第３の放電終止電圧（式５）を設定し、セル制御部２２により測定される直列接続単位の電圧が第３の放電終止電圧以上にある場合に放電を許可し、第３の放電終止電圧未満にある場合に放電を停止するように制御することもできる。
また、この場合、セル制御部２２は、直列接続単位の数も計測する。
【００５４】
図８は、本発明の実施形態２に係る蓄電池制御装置２０の放電制御の処理手順を示すフロー図である。
セル制御部２２は、放電制御の開始命令を受けると、電池部２１を構成するセルの数を計測する（Ｓ２０１）。
なお、計測したセルの数は、セル制御部２２から放電制御部２３に送信される。
【００５５】
放電制御部２３は、セル制御部２２から送信されたセルの数、及び負荷２４の最大消費電力から、第２の放電終止電圧を計算する（Ｓ２０２）。
放電制御部２３は、計算した第２の放電終止電圧を、メモリ２５に記憶する（Ｓ２０３）。
【００５６】
放電制御部２３は、第２の放電終止電圧がメモリ２５に記憶されると、放電制御を開始する（Ｓ２０４）。
なお、この時点で、機器（即ち、負荷２４）に電力が放電（供給）されることから、機器が動作状態となる。
【００５７】
セル制御部２２は、放電制御が開始されると（Ｓ２０４）、各セルの電圧を測定する（Ｓ２０５）。
なお、セル制御部２２により測定された各セルの電圧は、放電制御部２３に送信される。
【００５８】
放電制御部１３は、セル制御部２２により送信された各セルの電圧が、ステップＳ２０３においてメモリ２５に記憶した第２の放電終止電圧以上であるか否かを判定する（Ｓ２０６）。
そして、各セルの電圧が第２の放電終止電圧以上であると判定した場合（Ｓ２０６ Ｙｅｓ）、放電制御部２３は、放電を継続（即ち、許可）するように制御する（Ｓ２０７）。
なお、放電制御部２３により放電が継続されると（Ｓ２０７）、蓄電池制御装置２０は、再度、ステップＳ２０５の処理から、放電制御に関する処理を実行する。
【００５９】
また、放電制御部２３は、電池部２１を構成するセル（即ち、二次電池）のうち、１つのセルでも、第２の放電終止電圧未満であると判定すると（Ｓ２０６ Ｎｏ）、放電を停止するように制御する（Ｓ２０８）。
この場合、蓄電池制御装置２０は放電制御を終了する。
【００６０】
以上、本発明の実施形態について説明したが、その蓄電池制御装置によれば、消費電力が大きく、短時間の稼働を予定する機器に関して、当該機器の動作を保証しつつ、搭載する二次電池のセル数を低減することができる。
また、蓄電池制御装置に搭載する二次電池のセル数を調整することで、蓄電容量を容易に変更することができる。
さらに、放電終止電圧を変更することで出力電力を調整することができるため、同じ蓄電池制御装置の出力電力を調整して異なる機器に接続することができ、蓄電池制御装置の共通化を図ることもできる（即ち、汎用性を高めることもできる）。
【符号の説明】
【００６１】
１０…蓄電池制御装置、１１…電池部、１２…電圧測定部、１３…放電制御部、１４…負荷、１５…メモリ。
【先行技術文献】
【特許文献】
【００６２】
【特許文献１】特許公開２００８−１１３５４５号公報
【図１】
2016092996.tif 000003
【図２】
2016092996.tif 000004
【図３】
2016092996.tif 000005
【図４】
2016092996.tif 000006
【図５】
2016092996.tif 000007
【図６】
2016092996.tif 000008
【図７】
2016092996.tif 000009
【図８】
2016092996.tif 000010